(57)【特許請求の範囲】
【請求項１】
食品の輸送および陳列用転換式ケースであって、前記転換式ケースは、本体および逆Ｕ字状カバーを備え、
前記本体は、
前部および背部と、
左側部と、
右側部と、
頂部と、
底部とを備え、
ここで、前部および背部は、それぞれ、部分的な開口領域および取り外し可能部を有し、それぞれの取り外し可能部が締結部位を含み、
頂部は、第１のロゴ部位を含む左パネル、および、第２のロゴ部位を含む右パネルを有し、第１および第２ロゴ部位が部分的な開口領域を画定し、
底部は、２本の実質的に平行な切取り点線により画定された取り外し可能なブリッジパネルを有し、第１の取り外し可能な通気パネルがブリッジパネルの左側に隣接して構成され、第２の取り外し可能な通気パネルがブリッジパネルの右側に隣接して構成され、取り外し可能な通気パネルのそれぞれが、食品を冷却するためにケース内の空気流を増加させるよう構成された押し込みタブまたは通気孔を含み、
前記Ｕ字状カバーは、２本の平行なヒンジ線により画定される上パネルと、前パネルと、後パネルとを備え、前パネルおよび後パネルのそれぞれが押し込みタブを有し、
前記カバーは、本体に適合し付着して、食品を輸送するための第１の形態を提供するよう構成される
ことを特徴とする転換式ケース。
【請求項２】
前記カバーの前パネルは、本体の前部の取り外し可能部上の締結部位に付着して前方の部分的な開口領域を覆うよう構成されており、前記フードの後パネルは、本体の背部の取り外し可能部上の締結部位に付着して後方の部分的な開口領域を覆うよう構成されており、カバーの上パネルは、本体の頂部の上方の部分的な開口領域を覆う、請求項１に記載の転換式ケース。
【請求項３】
前記カバーの前パネルおよび前記カバーの後パネルは、接着剤を用いて締結部位に付着するよう構成される、請求項２に記載の転換式ケース。
【請求項４】
前記ケースは、食品を陳列するための第２の形態に手動で転換されるよう構成される、請求項２に記載の転換式ケース。
【請求項５】
前記第２の形態は、前部および背部の取り外し可能部とともに、カバーを本体から引き出し、左側部および右側部をブリッジパネルの周りで外向きに傾け、ブリッジパネルを取り外すことにより形成された２つの陳列部を備える、請求項４に記載の転換式ケース。
【請求項６】
各陳列部は、前記食品の約半分を陳列するよう構成される、請求項４に記載の転換式ケース。
【請求項７】
前記本体は、第１の材料からなる第１のブランクから形成され、前記カバーは、第２の材料からなる第２のブランクから形成される、請求項１に記載の転換式ケース。
【請求項８】
前記本体および前記カバーは厚紙からなる、請求項１に記載の転換式ケース。
【請求項９】
各通気パネルは、切取り点線により略長方形状に画定される、請求項１に記載の転換式ケース。
【請求項１０】
食品の輸送および陳列用転換式ケースであって、前記転換式ケースは、本体および逆Ｕ字状カバーを備え、
前記本体は、
前部および背部と、
左側部と、
右側部と、
頂部と、
底部とを備え、
ここで、前部および背部は、それぞれ、部分的な開口領域および取り外し可能部を有し、それぞれの取り外し可能部が締結部位を含み、
頂部は、第１のロゴ部位を含む左パネル、および、第２のロゴ部位を含む右パネルを有し、第１および第２ロゴ部位が部分的な開口領域を画定し、
底部は、中心部を実質的に横切って配置された切取り点線を有し、第１の取り外し可能な通気パネルが切取り点線の左側に隣接して構成され、第２の取り外し可能な通気パネルが切取り点線の右側に隣接して構成され、取り外し可能な通気パネルのそれぞれが、食品を冷却するためにケース内の空気流を増加させるよう構成された押し込みタブまたは通気孔を含み、
前記Ｕ字状カバーは、２本の平行なヒンジ線により画定される上パネルと、前パネルと、後パネルとを備え、前パネルおよび後パネルのそれぞれが押し込みタブを有し、
前記カバーは、本体に適合し付着して、食品を輸送するための第１の形態を提供するよう構成される
ことを特徴とする転換式ケース。
【請求項１１】
各通気パネルは、実質的に底部の全幅にわたって延在した後、傾斜した線に沿って先細りになって、前記底部の全幅よりも小さく、押し込みタブを有する下部を画定しており、通気パネルを取り外すと、残っている底部は、食品を陳列するための、ケースの第２の形態に対して製品支持面を提供する、請求項１０に記載の転換式ケース。
【請求項１２】
前記カバーの前パネルおよび前記カバーの前パネルは、接着剤を用いて締結部位に付着するよう構成される、請求項１０に記載の転換式ケース。
【請求項１３】
前記ケースは、食品を陳列するための第２の形態に手動で転換されるよう構成される、請求項１０に記載の転換式ケース。
【請求項１４】
前記第２の形態は、前部および背部の取り外し可能部とともに、カバーを本体から引き出し、左側部および右側部を、前記本体の前記底部上の切り取り点線の周りで外向きに傾け、前記切取り点線を前記本体の前記底部で分離することにより形成された２つの陳列部を備える、請求項１３に記載の転換式ケース。
【請求項１５】
各通気パネルは、選択的に取り外し可能であり、食品を冷却するために各陳列部内の空気流の増加を可能とする、請求項１４に記載の転換式ケース。
【請求項１６】
食品の輸送および陳列用転換式ケースであって、前記転換式ケースは、第１のブランクから形成された本体、および、第２のブランクから形成された逆Ｕ字状カバーを備え、
前記本体は、
前部および背部と、
左側部と、
右側部と、
頂部と、
底部とを備え、
ここで、前部および背部は、それぞれ、部分的な開口領域および取り外し可能部を有し、それぞれの取り外し可能部が締結部位を含み、
頂部は、第１のロゴ部位を含む左パネル、および、第２のロゴ部位を含む右パネルを有し、第１および第２ロゴ部位が部分的な開口領域を画定し、
底部は、中心部を実質的に横切って配置された２本の外側切り取り点線分、および、前記２本の切り取り点線分に隣接するＳ字状の切り取り点線を含む複数の切取り点線を有し、第１の取り外し可能な通気パネルが複数の切取り点線の左側に隣接して構成され、第２の取り外し可能な通気パネルが複数の切取り点線の右側に隣接して構成され、取り外し可能な通気パネルのそれぞれが、前記複数の切取り点線により画定されてＬ字状を形成し、取り外し可能な通気パネルのそれぞれが、食品を冷却するためにケース内の空気流を増加させるよう構成された押し込みタブまたは通気孔を含み、
前記Ｕ字状カバーは、前記第２のブランクを２本の平行なヒンジ線の周りに折り畳むことにより形成され、前記カバーは、それぞれが押し込みタブを有する上パネルと、前パネルと、後パネルとを備え、
前記カバーは、本体に適合し付着して、食品のパッケージを輸送するための第１の形態を提供するよう構成される
ことを特徴とする転換式ケース。
【請求項１７】
前記ケースは、食品を陳列するための第２の形態に手動で転換されるよう構成される、請求項１６に記載の転換式ケース。
【請求項１８】
前記第２の形態は、前部および背部の取り外し可能部とともに、カバーを本体から引き出し、左側部および右側部を本体の底部上で複数の切取り点線の周りで外向きに傾け、複数の切取り点線を本体の底部で分離することにより形成された２つの陳列部を備える、請求項１７に記載の転換式ケース。
【請求項１９】
前記通気パネルを取り外すと、残っている底部は、食品を陳列するための、ケースの第２の形態に対して製品支持面を提供する、請求項１７に記載の転換式ケース。
【請求項２０】
前記前パネルおよび後パネルは、一時的な締結材料を用いて締結部位に付着する、請求項１６に記載の転換式ケース。
【発明の詳細な説明】
【技術分野】
【０００１】
本開示は、折り畳み可能なシート材料から形成された食品用輸送容器に関する。具体的には、本開示は、輸送形態から、販売用に食品を陳列するための陳列形態に転換可能な食品用輸送コンテナまたはケースに関する。さらに具体的には、本開示は、陳列形態のケースに収容された食品の通気および冷却を促進するために、選択的に取り外しまたは展開可能な１つ以上のパネルを有する輸送ケースに関する。より具体的には、本開示は、選択的に取り外し可能な通気パネルを有する、輸送形態から陳列形態に転換可能な食品用ケースであって、自動または手動の製造工程のいずれかを用いて組み立て、食品を充填し、輸送のために閉封することができる折り畳み可能なシート材料のブランクから形成されているケースに関する。
【背景技術】
【０００２】
板紙または厚紙の容器またはケースは、食品等の多様な製品の包装および輸送に広く用いられている。こうしたケースのうちのいくつかの種類は、折り畳まれたパネルを開いて、または、ケースの引き剥がしパネルもしくは引き剥がし部分を除去して食品を少なくとも部分的に露出すること等により、店舗または他の施設での陳列のために、輸送した食品を保持するように開封して用いられ得る。しかし、かかる既知の食品用輸送および陳列ケースは、多くの欠点を有している。例えば、かかるケースには、輸送密度を最大にするために食品をぎっしりと詰めることが多く、このことは、生鮮食品の通気不良および冷却不良につながる。かかるケースの他のものは、食品が望ましくない方向（例えば、側縁を下にする等）で包装されることを必要とするような寸法および形状であり、このことは、（例えば、特に、細切りチーズ等の湿潤な食品に対して）陳列する方向に戻した際にも容易に回復できないような食品の沈殿または「凝集」につながる。また、かかる既知のケースは、典型的には輸送時の保護を提供するために食品を完全に包囲するが、ケースを陳列形態に転換した際に、ケース内の食品の十分な通気を許容しない。輸送ケースの通気の促進に対する従来の試みは、通常、輸送中の製品の保護を妥協して予め切断された開口部を設けるか、または、ケースを陳列形態に転換した際にケースの一部を切り離すことを伴うが、後者は、通常、ケース内に貯蔵された食品の意図せぬ切断により製品の損傷または損失をもたらすか、または、食品の適切な陳列に必要なケースの構造的な完全性の喪失を引き起こすケースの一部の一貫性のない除去につながる。現行の設計は、ケースを開くための、またはケースの転換を行うための切取り点線に大きく依存しており、切取り点線の重度の操作やケースの配向を必要とすることが多く、このため、即棚梱包（シェルフレディパッケージ）を開いたり、実施したりするのに取るべき追加の手順を必要とする。現行の設計は、意図したとおりに破れないことが多く、品質に関する消費者の認識を損なう凸凹な縁の残る切取り点線構造（例えば、長い切取り点線）を採用している。いくつかの場合には、切取り点線が正しく裂けなかった場合、製品を損傷する可能性のあるナイフでケースを切断するか、または単純に廃棄される。
【０００３】
したがって、輸送形態から、販売用に食品を陳列するための陳列形態に転換可能な食品用輸送ケースであって、ケース内に陳列された食品の通気および冷却を促進するために、選択的に取り外しまたは展開可能な１つ以上のパネルを有し、かつ、自動または手動の製造工程のいずれかを用いて組み立て、食品を充填し、輸送のために閉封することができる、折り畳み可能なシート材料のブランクから形成されている、従来の輸送ケース設計に関連する欠点を克服することのできる輸送ケースに対する要求が存在する。
【発明の概要】
【０００４】
本開示の一実施形態は、食品のパッケージを輸送および陳列するための転換式ケースである。ケースは、ダンボール材料の第１のブランクから形成された本体と、ダンボール材料の第２のブランクから形成されたカバーまたはフードを含む。第１のブランクは、本体のための六面直方体に折り畳み可能であり、自動または手動の製造工程を用いて、輸送形態組立体に充填される。輸送形態組立体は、部分的に開口する領域と糊付け部位を有する取り外し可能領域とを有する前部、部分的に開口する領域と糊付け部位を有する取り外し可能領域とを有する背部、左側部、右側部、ロゴ部位を提供するようにそれぞれが成形され、部分的に開口する領域をロゴ部位の間に画定する左パネルおよび右パネルを有する頂部、ならびに、１つ以上の選択的に取り外し可能な通気部を有する底部を有する。部分的に開口する領域と、糊付け部位を有する取り外し可能な領域とは戦略的に設けられており、ケースを陳列形態に展開した際に、結果として得られる陳列部が、陳列された食品の視認性と通気性を高める、高さの低減された前壁部および側壁部を有することとなる。選択的に取り外し可能な通気部は、背壁部のダンボール材料のさらなる低減を可能とし、食品の補助的な、または、増強した通気を提供する。
【０００５】
第２のブランクは、２本の平行なヒンジ線の周りで折り曲げ可能であり、押し込みタブを有する前パネルと、上パネルと、押し込みタブを有する後パネルとを有する逆Ｕ字状のフードを形成する。フードは本体上に適合するような寸法および形状とされ、前パネルは、本体の前部の取り外し可能な部分の糊付け部位に取り付けられ、前方の部分的に開口する領域を覆い、上パネルは、上ロゴパネルを覆って保護するとともに、本体の上部の上方の部分的に開口する領域を覆い、後パネルは、本体の背部の取り外し可能な部分の糊付け部位に取り付けられ、後方の部分的に開口する領域を覆うので、本体へのフードの取り付けにより、輸送形態の閉鎖されたケースが提供される。
【０００６】
上記したところは概要であり、したがって、必然的に単純化、一般化、および詳細の省略が含まれている。したがって、当業者は、概要は単に例示であり、いかなる場合も限定を意図するものではないことを理解するであろう。特許請求の範囲によってのみ定義される、他の態様、発明の特徴、ならびに本明細書に記載される装置および／または方法の利点は、添付の図面を参照しつつ本明細書に記載した詳細な説明において明らかになるであろう。
【図面の簡単な説明】
【０００７】
【図１】例示的な実施態様に従う、輸送形態において本体に取り付けられるフードを有する、食品の輸送および陳列用転換式ケースの絵画的な斜視図である。
【図２】図１の例示的な実施態様に従う、本体から取り外されたフードの前パネルおよび上パネルを有する、食品の輸送および陳列用転換式ケースの絵画的な斜視図である。
【図２Ａ】図１の例示的な実施態様に従う、本体内に、水平方向に平らで交互に配置した食品（細切りチーズ製品として示されている）の包装を充填した、フードを取り付ける前の、食品の輸送および陳列用転換式ケースの絵画的な正面図である。
【図３】図１の例示的な実施態様に従う、本体への取り付けの前のフードの絵画的な斜視図である。
【図３Ａ】図１の例示的な実施態様に従う、本体から取り外された後のフードの絵画的な斜視図である。
【図４】図１の例示的な実施態様に従う、フードを取り外した、食品の輸送および陳列用転換式ケースの本体の絵画的な斜視図である。
【図５】図１の例示的な実施態様に従う、本体の底部の取り外し可能なブリッジパネルにより連結された第１の陳列部と第２の陳列部を開口させた、食品の輸送および陳列用転換式ケースの本体の絵画的な斜視図である。
【図６】図１の例示的な実施態様に従う、ブリッジパネルを取り外した第１の陳列部および第２の陳列部の背面側の絵画的な斜視図である。
【図７】図１の例示的な実施態様に従う、第１の陳列部および第２の陳列部のそれぞれにおいて、押し込みタブを通気パネルに展開した、第１の陳列部および第２の陳列部の背面側の絵画的な斜視図である。
【図８】図１の例示的な実施態様に従う、第１の陳列部および第２の陳列部のそれぞれにおいて、通気パネルを取り外した、第１の陳列部および第２の陳列部の背面側の絵画的な斜視図である。
【図９】図１の例示的な実施態様に従う、第１の陳列部および第２の陳列部のそれぞれにおいて、通気パネルを取り外した、横並び陳列配置における、第１の陳列部および第２の陳列部の正面側の絵画的な斜視図である。
【図９Ａ】図１の例示的な実施態様に従う、交互に配置された食品が、対応する陳列部に直立姿勢で分けられるように、第１の陳列部および第２の陳列部のそれぞれに食品包装を陳列した、横並び陳列配置における、第１の陳列部および第２の陳列部の正面側の絵画的な正面図である。
【図１０】図１の例示的な実施態様に従う、第１の陳列部および第２の陳列部のそれぞれにおいて、通気パネルを除去した前後陳列配置における、第１の陳列部および第２の陳列部の正面側の絵画的な斜視図である。
【図１１】図１の例示的な実施態様に従う、食品の輸送および陳列用転換式ケースの本体用の第１のブランクの概略図である。
【図１２】図１の例示的な実施態様に従う、食品の輸送および陳列用転換式ケースのフード用の第２のブランクの概略図である。
【図１３】他の例示的な実施態様に従う、輸送および陳列形態の本体にフードを取り付けた、食品の輸送および陳列用転換式ケースの絵画的な斜視図である。
【図１４】図１３の例示的な実施態様に従う、フードの前パネルおよび上パネルを本体から取り外した、食品の輸送および陳列用転換式ケースの絵画的な斜視図である。フードは、図３および図３Ａに示すフードの実施形態と実質的に同じとすることができる。
【図１５】図１３の例示的な実施態様に従う、フードを取り外した、食品の輸送および陳列用転換式ケースの本体の絵画的な斜視図である。
【図１６】図１３の例示的な実施態様に従う、食品の輸送および陳列用転換式ケース本体の絵画的な斜視図であり、本体の底部の中心にある切取り点線により相互接続された第１の陳列部および第２の陳列部を割り開いた状態で示す。
【図１６Ａ】図１３の例示的な実施態様に従う、食品の輸送および陳列用転換式ケース本体の絵画的な正面斜視図であり、本体の底部の中心にある切取り点線により相互接続された第１の陳列部および第２の陳列部を割り開いた状態で示しており、食品包装を、交互に配置された食品が対応する陳列部内に分かれるように、第１の陳列部および第２の陳列部のそれぞれに陳列している。
【図１７】図１３の例示的な実施態様に従う、切取り点線での分離後の第１の陳列部および第２の陳列部の背面側の絵画的な斜視図である。
【図１８】図１３の例示的な実施態様に従う、押し込みタブを第１の陳列部および第２の陳列部のそれぞれの通気パネル上に展開した、第１の陳列部および第２の陳列部の背面側の絵画的な斜視図である。
【図１９】図１３の例示的な実施態様に従う、第１の陳列部および第２陳列部のそれぞれにおいて通気パネルを取り外した、第１の陳列部および第２の陳列部の背面側の絵画的な斜視図である。第１の陳列部および第２陳列部は、図９、９Ａおよび１０に示されたものと同様の方法で、横並び陳列配置または前後陳列配置に配置することができる。
【図２０】図１３の例示的な実施態様に従う、食品の輸送および陳列用転換式ケースの本体用の第１のブランクの概略図である。フード用の第２のブランクは、図１２に示したものと同一または類似したものとすることができる。
【図２１】他の例示的な実施態様に従う、輸送形態においてフードを本体に取り付けた、食品の輸送および陳列用転換式ケースの絵画的な斜視図である。
【図２２】図２１の例示的な実施態様に従う、フードの第１のパネルおよび上パネルを本体から取り外した、食品の輸送および陳列用転換式ケースの絵画的な斜視図である。フードは、図３および３Ａに示されているフードの実施態様と実質的に同様とすることができる。
【図２３】図２１の例示的な実施態様に従う、食品の輸送および陳列用転換式ケースの本体の絵画的な斜視図であり、本体の底部の中心にある２本の直線状の切取り点線分およびＳ字状の切取り点線により相互接続された第１の陳列部および第２の陳列部を割り開いた状態で示す。
【図２４】図２１の例示的な実施態様に従う、切取り点線分およびＳ字状切取り点線で分離した後の第１の陳列部および第２の陳列部の背面側の絵画的な斜視図である。
【図２５】図２１の例示的な実施態様に従う、第１の陳列部および第２の陳列部のそれぞれに通気パネルを有する、第１の陳列部および第２の陳列部の背面側の絵画的な斜視図である。
【図２６】図２１の例示的な実施態様に従う、第１の陳列部および第２の陳列部のそれぞれにおいて通気パネルを除去した、第１の陳列部および第２の陳列部の背面側の絵画的な斜視図である。第１の陳列部および第２の陳列部は、図９、９Ａおよび１０に示されたものと同様の方法で、横並び配置または前後配置に配置することができる。
【図２７】図２１の例示的な実施態様に従う、食品の輸送および陳列用転換式ケースの本体用の第１のブランクの概略図である。フード用の第２のブランクは、図１２に示したものと同一または類似したものとすることができる。
【発明を実施するための形態】
【０００８】
食品の輸送および陳列用の、展開可能な通気パネルを備えた転換式ケースおよび／またはその部品の詳細を論ずるにあたり、本明細書において、「前」、「後」、「背」、「側」、「上」、「下」、「内」、「外」、「右」および「左」等は、様々な要素を、図面における向きで特定するためにのみ用いられていることに留意されたい。
【０００９】
さらに、本開示の目的のために、「接続」または「取付け」なる用語は、２つの部材（例えば、表面、縁、パネル等）が、直接的または間接的に互いに結合していることを意味することに留意されたい。かかる結合は、実質的に固定されたものであってもよく、実質的に可動であってもよい。かかる結合は、２つの部材で達成することができ、または、２つの部材と任意の付加的な中間部材とを用いて達成することができる。かかる結合は、実質的に永続的（例えば、固定的な取付け、締結、接着等）であってもよく、または実質的に一時的（例えば、解放可能な取付け、係合等）であってもよい。
【００１０】
図面を全体的に参照し、食品の輸送および陳列用の、展開可能な通気パネルを有する転換式ケースおよびその部品が、様々な例示的な実施態様に従って示されている。いくつかの実施形態において、ケースを、細切りチーズまたはその他の食品の複数のパッケージ等の食品を包装するため用いることができる。ケースは、任意の種類の折り畳み可能な板状材料（例えば、板紙、紙、厚紙、金属薄板、折り畳み可能なプラスチック等）とすることができる。いくつかの実施形態では、ケースを、ダイカット段ボールブランクから構成することができる。かかる変形の全てを本開示の範囲内に包含することを意図している。
【００１１】
図１〜１２をより具体的に参照し、食品の輸送および陳列用転換式ケース１００が、例示的な一実施態様に従って示されている。ケースは、厚紙材料の第１のブランク１１４から形成された本体１００と、厚紙材料の第２のブランク１６４から形成されたフード１６０を含む。第１のブランク１１４は、本体１１０のための六面直方体に折り畳み可能であり、自動または手動の製造工程を用いて、輸送形態組立体に折り畳まれ、組み立てられ、充填される。この組立体は、部分的な開口領域１２０および糊付け部位を有する取り外し可能部１２２を有する前部１１８と、部分的な開口領域１２６および糊付け部位を有する取り外し可能部１２８を有する背部１２４と左側部１３０と、右側部１３４と、ロゴ部位を提供するようにそれぞれが成形され、部分的な開口領域１４４をロゴ部位の間に画定する左パネル１４０および右パネル１４２を有する頂部１３８と、２本の平行な切取り点線により画定される取り外し可能なブリッジパネル１５０、ブリッジ１５０の左側に隣接する第１の取り外し可能な通気パネル１５４、およびブリッジ１５０の右側に隣接する第２の取り外し可能な通気パネル１５６を有する底部１４８とを有する。通気パネルの各々は、切取り点線により略長方形状に画定される。その後に通気パネルを取り外すと、底部１４８の残りの側面が製品支持面を提供する。また、通気パネルの各々は、その後にケースを輸送形態から陳列形態に転換する間に、店舗または他の販売施設において、在庫担当者による通気パネルの識別および容易な取り外し円滑にするよう意図された押し込みタブ１５８を含むように図示されている。
【００１２】
図３および３Ａを参照し、第２のブランク１６０は、押し込みタブ１７０を有する前パネル１６８と、上パネル１７２と、押し込みタブ１７６を有する後パネル１７４を有する逆Ｕ字状のフードを形成するように、２本の平行なヒンジ線１６６の周りで折り畳み可能である。フード１６０は、本体１１０に適合する寸法および形状であり、前パネル１６８は、本体１１０の前部１１８上の取り外し可能部１２２の糊付け部位に付着し、前方の部分的な開口領域１２０を覆い、上パネル１７２は、本体１１０の上部１３８の上方の部分的な開口領域１４４を覆い、後パネル１７４は、本体１１０の背部１２４上の取り外し可能部１２８の糊付け部位に付着し、後方の部分的な開口領域１２６を覆うので、フード１６０の本体１１０への取り付けにより、店舗または食品の個別販売の他の施設（例えば、卸売、小売等）への食品の保護輸送用の輸送形態において、閉鎖されたケースが得られる。
【００１３】
一実施態様によれば、食品は、水平方向に平らにされた（すなわち、ケースの底部を基準にして背側を下にして横にした）本体１１０に充填された細切りチーズのパッケージとすることができ、これらパッケージは、前後（または上下）パターン（例えば図２を参照）で積み重ねて配置され、パッケージが側面を下にして横にされることを回避して、輸送中に細切りチーズが沈降し凝集する可能性を実質的に低減するように、ケース１００内での輸送密度を高めることができる。このように梱包するのは、ケース内で輸送される食品の密度を最大化する（そして、「空気」の輸送を最小限にする）だけでなく、陳列部に配置された場合に、食品パッケージの有利な通気を提供することを目的とする。したがって、本実施態様に従うケースは、ケース内で輸送される食品の密度を最大化し、輸送中の食品の完全性を維持するような方法で食品を配向し、陳列中の食品の適切な通気を提供して食品の完全性および貯蔵寿命を維持する。
【００１４】
店舗にケース１００が到着すると、ケースを輸送形態から陳列形態に（例えば店舗の従業員等が）転換することができ、単一のケースは２つの分離した陳列部１０２、１０４に転換され、陳列部の各々が、ケース内で輸送された食品パッケージの約半分を保持および陳列し、かつ、冷蔵冷却器（または他の適切な装置）の棚に配置されるよう構成されている。
【００１５】
図２および３Ａを参照し、フード１６０の前側１６８および背側１７４の押し込みタブ１７０、１７６を押し下げ、フード１６０を本体１１０から引き出すことにより、フード１６０を本体１１０から取り外すことができる。フード１６０が本体１１０から切り離されると、糊付け部位でフード１６０に接着されている本体１１０の前側および背側の取り外し可能部１２２、１２８はフード１６０と一緒に取り外される（図３Ａ参照）。
【００１６】
図４〜６を参照し、本体１１０の各側面を、本体１１０の底部１４８上のブリッジパネル１５０の周りで外向きに傾斜（例えば、「割り開く」等）させることができ、本体１１０の左側１３０および右側１３４が第１および第２の陳列部１０２、１０４の背部となり、本体１１０の上側の第１の部分および第２のロゴ部位がそれぞれ第１および第２の陳列部１０２、１０４の前部になる。第１および第２の陳列部１０２、１０４とともに、ケース１００を陳列方向に割り開くと、ブリッジパネル１５０は切取り点線１５２の２本の平行な線に沿って取り外され、２つの陳列部１０２、１０４を分離することができる。
【００１７】
図７〜８を参照し、陳列部内の食品のパッケージの周囲に冷蔵空気流を増加させる能力を提供することが望ましい場合がある。図示の実施態様によれば、選択的に取り外され、パッケージへのおよびパッケージの周囲の空気流を強くすることを可能とする通気パネル１５４、１５６が設けられる。通気パネル１５４、１５６は、店舗従業員が容易に識別可能な切り取り点線により画定されており、容易に（例えばなど、押し込みタブを使用する等により）取り外される。通気パネルの形状を画定する切取り点線は、パッケージを保持して陳列するための陳列部１０２、１０４の構造的な完全性を維持しつつも、陳列部壁の十分な量の除去を可能とするように意図されている。図５〜８に示すように、ブリッジパネル１５０の取り外しは、各陳列部１０２、１０４の後壁の高さを減少させる。さらに、各通気パネル１５２、１５６の取り外しは、陳列部１０２、１０４の背部の周囲の空気流に対する障害を低減するが、各側部の隅部（例えば柱等）を保持して、陳列部の構造的な完全性を維持し、かつ、パッケージに対し製品支持面を提供する。通気パネル１５４、１５６は、各陳列部の後壁に示されているが、代替態様によれば、通気パネルを側壁に設けてもよい。
【００１８】
図９および９Ａを参照し、第１の陳列部１０２および第２の陳列部１０４は、陳列を向上させるような寸法とされ、形状とされ、製品および／または製造業者を識別する表示または他の目印を印刷され（またはこれらが設けられ）ることのできるロゴ部位を保持する。単一のケース１００を２つの分離し通気された陳列部１０２、１０４に分離する能力により、貯蔵および販売の目的に応じて、陳列部を横並び（図９）または前後並び（図１０）に配置することが可能となる。水平方向に平らに、かつ、交互に（例えば、上下を交互にして）食品パッケージを配置することで、ケースを割り開き、陳列部を分離した際に、ケース内のパッケージの最初の半分を直立状態で一方の陳列部に分け、ケース内のパッケージの残り半分を直立状態で他方の陳列部に分けることが可能となる。
【００１９】
図１の実施態様に従うケース１００の本体１１０のための第１のブランク１１４の詳細および寸法を図１１に例示する。同様に、図１の実施態様に従うケース１００のフード１６０のための第２のブランク１６４の詳細および寸法を図１２に例示する。
【００２０】
図１３〜２０をより具体的に参照し、食品の輸送および陳列パッケージ用転換式ケース２００を、他の例示的態様に従って示す。ケースは、厚紙材料の第１のブランク２１４から形成された本体２１０と、厚紙材料の第２のブランク２６４から形成されたカバーまたはフード２６０とを含む。第１のブランク２１４は、本体２１０のための六面直方体に折り畳み可能であり、自動または手動の製造工程を用いて、輸送形態組立体に折り畳まれ、組み立てられ、充填される。この組立体は、部分的な開口領域２２０および糊付け部位を有する取り外し可能部２２２を有する前部２１８と、部分的な開口領域２２６および糊付け部位を有する取り外し可能部２２８を有する背部２２４と左側部２３０と、右側部２３４と、ロゴ部位を与えるようにそれぞれ成形され、ロゴ部位の間に部分的な開口領域２４４を画定する左パネル２４０および右パネル２４２を有する上部２３８と、中心部を実質的に横切って配置された切り取り点線２５２、切り取り点線２５２の左側に隣接する第１の取り外し可能な通気パネル２５４、および切り取り点線２５２の右側に隣接する第２の取り外し可能な通気パネル２５６を有する底部２４８とを有する。通気パネルの各々は、全体として段付き長方形状である切取り点線により画定される。通気パネルの頂部２５３は、実質的に底部の全幅にわたって延在した後、小さな残部を残す押し込みタブ２５８を有する小さな下部２５５まで、（例えば傾斜した線に沿う等して）先細りになる。その後に通気パネルを取り外すと、底部２４８の残部は、陳列部用の後方製品支持面を提供する。また、通気パネルの各々は、その後の輸送形態から陳列形態へのケースの転換中に、店舗または他の販売施設における在庫担当者による通気パネルの識別および容易な除去を円滑にするよう意図された押し込みタブ２５８を含むことが示されている。
【００２１】
図３および３Ａを参照して上述したように、第２のブランク２６４は、押し込みタブ２７０を有する前パネル２６８と、上パネル２７２と、押し込みタブ２７６を有する後パネル２７４を有する逆Ｕ字状のフード２６０を形成するように、２本の平行なヒンジ線２６６の周りで折り畳み可能である。
【００２２】
店舗にケースが到着すると、ケースを輸送形態から陳列形態に（例えば店舗の従業員等が）転換することができ、単一のケース２００は２つの分離した陳列部２０２、２０４に転換され、陳列部の各々が、ケース内で輸送された食品パッケージの約半分を保持および陳列し、かつ、冷蔵冷却器（または他の適切な装置）の棚に配置されるよう構成されている。
【００２３】
図１４を参照し、フードの前面および背面の押し込みタブ２７０、２７６を押し下げ、フード２６０を本体２１０から引き出すことにより、フード２６０を本体２１０から取り外すことができる。フード２６０が本体２１０から切り離されると、糊付け部位でフード２６０に接着されている本体２１０の前面および背面の取り外し可能部２２２、２２８はフード２６０と一緒に取り除かれる（図３参照）。
【００２４】
図１５〜１６Ａを参照し、本体２１０の各側部を、本体２１０の底部２４８上の中央切り取り点線２５２の周りで外向きに傾斜（例えば、「割り開く」等）させることができ、本体２１０の左側部２３０および右側部２３４が第１および第２の陳列部２０２、２０４の底部となり、本体２１０の底面２４８の残部が第１および第２の陳列部２０２、２０４の背部となり、本体２１０の上部２１８上の第１および第２のロゴ部位がそれぞれ第１および第２の陳列部２０２、２０４の前部となる。第１および第２の陳列部とともに、ケースを陳列方向に割り開くと、切り取り点線２５２が分離し、２つの陳列部２０２、２０４を形成することができる。図１６Ａに示すように、水平方向に平らに、かつ、交互に（例えば、上下を交互にして）食品パッケージを配置することで、ケースを割り開き、陳列部を分離した際に、ケース内のパッケージの最初の半分を直立状態で一方の陳列部に分け、ケース内のパッケージの残り半分を直立状態で他方の陳列部に分けることが可能となる。
【００２５】
図１７〜１９を参照し、陳列部２０２、２０４内の食品のパッケージの周囲に冷蔵空気流を増加させる能力を提供することが望ましい場合がある。図示の実施態様によれば、選択的に取り外され、食品パッケージへのおよび食品パッケージの周囲の空気流を強くすることを可能とする通気パネル２５４、２５６が設けられる。通気パネル２５４、２５６は、店舗従業員が容易に識別可能な切取り点線によって画定されており、押し込みタブを使用して容易に取り外すことができる。通気パネルの形状を画定する切取り点線は、パッケージを保持して陳列するための陳列部の構造的な完全性を維持しつつも、陳列部壁の十分な量の除去を可能とするように意図されている。図１９に示すように、各通気パネルの取り外しは、各陳列部の後壁の高さを減少させ、さらに、陳列部の背部の周囲の空気流に対する障害を低減するが、各側部の隅部（例えば柱等）を保持して、陳列部の構造的な完全性を維持し、かつ、パッケージに対し製品支持面を提供する。通気パネル２５４、２５６は、各陳列部の後壁に示されているが、代替態様によれば、通気パネルを側壁に設けてもよい。
【００２６】
上述したように、第１の陳列部２０２および第２の陳列部２０４は、陳列を向上させるような寸法とされ、形状とされ、製品および／または製造業者を識別する表示または他の目印を印刷され（またはこれらが設けられ）ることのできるロゴ部位を保持する。単一のケース２００を２つの分離し通気された陳列部２０２、２０４に分離する能力により、貯蔵および販売の目的に応じて、陳列部を横並びまたは前後並びに配置することが可能となる。
【００２７】
図１３の実施態様に従うケースの本体のための第１のブランク２１４の詳細および寸法を図２０に例示する。同様に、図１３の実施態様に従うケース２００のフード２６０のための第２のブランク２６４の詳細および寸法を図１２に例示する。
【００２８】
次に図２１〜２７を参照し、食品の輸送および陳列用転換式ケース３００を、他の例示的態様に従って示す。ケース３００は、厚紙材料からなる第１のブランク３１４から形成された本体３１０と、厚紙材料からなる第２のブランク３６４から形成されたカバーまたはフード３６０とを含む。第１のブランク３１４は、本体３１０のための六面直方体に折り畳み可能であり、自動または手動の製造工程を用いて、輸送形態組立体に折り畳まれ、組み立てられ、充填される。この組立体は、部分的な開口領域３２０および糊付け部位を有する取り外し可能部３２２を有する前部３１８と、部分的な開口領域３２６および糊付け部位を有する取り外し可能部３２８を有する背部３２４と左側部３３０と、右側部３３４と、ロゴ部位を与えるようにそれぞれ成形され、ロゴ部位の間に部分的な開口領域３４４を画定する左パネル３４０および右パネル３４２を有する頂部３３８と、中心部を実質的に横切って配置された２本の外側切り取り点線分３５２、切り取り点線分３５２のそれぞれに隣接する略Ｓ字状の切り取り点線３５３を有する底部３４８とを有する。第１の取り外し可能な通気パネル３５４が、切取り点線３５２、３５３の左側に隣接して設けられ、第２の取り外し可能な通気パネル３５６が、切取り点線３５２、３５３の右側に隣接して設けられる。通気パネルの各々は、略Ｌ字状の切取り点線により画定される。その後に通気パネルを除去すると、底部３４８の残部は、陳列部に対して後方製品支持面を提供する。通気パネルの各々は、その後の輸送形態から陳列形態へのケースの転換中に、店舗または他の販売施設における在庫担当者による通気パネルの識別および容易な除去を円滑にするよう意図された押し込みタブ（図示せず）を含むことができる。あるいは、Ｌ字状部のそれぞれの上向きに延びる「脚」３５５が、ケースの底部から通気パネル３５４、３５６を保持し除去する（例えば、切り取り点線に沿って引き裂く）ための「タブ」を提供するように意図されている。
【００２９】
図３および３Ａを参照して上述したように、第２のブランク３６４は、押し込みタブ３７０を有する前パネル３６８と、上パネル３７２と、押し込みタブ３７６を有する後パネル３７４を有する逆Ｕ字状のフード３６０を形成するように、２本の平行なヒンジ線３６６の周りで折り畳み可能である。
【００３０】
店舗にケースが到着すると、ケース３００を輸送形態から陳列形態に（例えば店舗の従業員等が）転換することができ、単一のケース３００は２つの分離した陳列部３０２、３０４に転換され、陳列部の各々が、ケース内で輸送された食品パッケージの約半分を保持および陳列し、かつ、冷蔵冷却器（または他の適切な装置）の棚に配置されるよう構成されている。水平方向に平らに、かつ、交互に（例えば、上下を交互にして）食品パッケージを配置することで、ケースを割り開き、陳列部を分離した際に、ケース内のパッケージの最初の半分を直立状態で一方の陳列部に分け、ケース内のパッケージの残り半分を直立状態で他方の陳列部に分けることが可能となる。
【００３１】
図２２を参照し、フードの前側および背側の押し込みタブ３７０、３７６を押し下げ、フード３６０を本体３１０から引き出すことにより、フード３６０を本体３１０から取り外すことができる。フードが本体から切り離されると、糊付け部位でフード３６０に接着されている本体３１０の前側および背側の取り外し可能部３２２、３２８はフードと一緒に取り外される（図３および３Ａ参照）。
【００３２】
図２３〜２４を参照し、本体３１０の各側部を、本体３１０の底部３４８上の中央切り取り点線分３５２、３５３の周りで外向きに傾斜（例えば、「割り開く」等）させることができ、本体３１０の左側部３３０および右側部３３４が第１および第２の陳列部３０２、３０４の底部となり、本体３１０の底部３４８の残部が第１および第２の陳列部３０２、３０４の背部となり、本体３１０の頂部３１８上の第１および第２のロゴ部位がそれぞれ第１および第２の陳列部３０２、３０４の前部となる。第１および第２の陳列部とともに、ケース３００を陳列方向に割り開くと、切り取り点線３５２、３５３が分離し、２つの陳列部３０２、３０４を形成することができる。
【００３３】
図２５〜２６を参照し、陳列部内の食品のパッケージの周囲に冷蔵空気流を増加させる能力を提供することが望ましい場合がある。図示の実施態様によれば、選択的に取り外され、食品パッケージへのおよび食品パッケージの周囲の空気流を強くすることを可能とする通気パネル３５４、３５６が設けられる。通気パネル３５４、３５６は、店舗従業員が容易に識別可能な切取り点線３５３によって画定されており、把持タブを形成する、上方に延びる脚３５５を使用して容易に除去することができる。通気パネルの形状を画定する切取り点線は、パッケージを保持して陳列するための陳列部の構造的な完全性を維持しつつも、陳列部壁の十分な量の除去を可能とするように意図されている。図２６に示すように、各通気パネル３５４、３５６の取り外しは、陳列部３０２、３０４の背部の周囲の空気流に対する障害を低減するが、各側部の隅部（例えば柱等）を保持して、陳列部の構造的な完全性を維持し、かつ、パッケージに対し製品支持面を提供する。通気パネル３５４、３５６は、各陳列部の後壁に示されているが、代替態様によれば、通気パネルを側壁に設けてもよい。
【００３４】
上述したように、第１の陳列部３０２および第２の陳列部３０４は、陳列を向上させるような寸法とされ、形状とされ、製品および／または製造業者を識別する表示または他の目印を印刷され（またはこれらが設けられ）ることのできるロゴ部位を保持する。単一のケースを２つの分離し通気された陳列部に分離する能力により、貯蔵および販売の目的に応じて、陳列部を横並びまたは前後並びに配置することが可能となる。
【００３５】
図２１の実施態様に従うケース３００の本体３１０のための第１のブランク３１４の詳細および寸法を図２に例示する。同様に、図２１の実施態様に従うケースのフードのための第２のブランク３６４の詳細および寸法は、図１２に例示するものと同一または類似したものとすることができる。
【００３６】
本明細書で開示した実施態様は、食品等の製品の輸送および陳列用のケースの顕著な向上を提供することは理解されるであろう。いくつかの実施形態では、異なる色を転換式ケースの異なる部分に用いる。例えば、一実施態様において、転換式ケースのカバーを、転換式ケースの本体とは異なる色（例えば、茶色）に着色することができる。異なる色は、例えば、ケースを、輸送のための第１の構成から製品を陳列するための第２の構成に転換するために、操作され、または、転換式ケースから取り外されるべき部分を示すことができる。例えば、カバー、通気パネル、タブ等を茶色に着色し、転換工程の一部として、または、例えば、内部に収容された製品を適切に冷却するような空気の循環を提供するために、製品を通気することを目的として、これらの部分を取り外すべきであることを示すことができる。さらに、ケースのカバーまたはフード部分を、ロゴパネル領域等のケースの本体の一部を覆い、または保護するように構成することができることは理解されるであろう。さらに、いくつかの実施態様において、転換式ケースは、陳列された製品の視認性を高め、または冷却を向上させるために、除去可能なパネルを含むであろうことは理解されるであろう。さらに、いくつかの実施態様において、転換式ケースは、ケースを輸送形態から陳列形態に転換する間に、反転または回転する必要がないように構成されていることが理解されるであろう。いくつかの実施態様において、転換式ケースは、ケースを輸送形態から陳列形態に転換する間に、ケース内に収容された食品が２つの陳列部に均等に分けられるように構成される。さらに、転換式ケースは、容易にまたは綺麗に引き裂かれる（例えば、短い切り取り点線等）か、または、品質に関する消費者の認識を損なう粗い縁を防止することを意図したように引き裂かれる切り取り点線を含むことができることが理解されるであろう。
【００３７】
例示的実施態様において示した食品を輸送および陳列するための展開可能な通気パネルを有する転換式ケースの要素の構成および配置は、一例にすぎない。本開示のいくつかの実施態様のみを詳細に説明したが、この開示を検討した当業者には、記載した主題の新規な教示および利点から実質的に逸脱することなく、多くの修正（例えば、様々な要素の大きさ、寸法、構造、形状および比率の変化、パラメータの値、取り付け配置、材料の使用、色、向き等）が可能であることを容易に理解するであろう。例えば、一体的に形成されたとして示された要素は、複数の部品または要素で構成することができる。要素および組立体は、多様な色、テクスチャ、およびそれらの組み合わせのいずれかにおいて、十分な強度および耐久性を提供する多様な材料のいずれかから構成することができる。さらに、本説明において、「例示的」なる単語は、例、事例、または例示を意味するために使用される。「例示的」として記載された任意の実施態様または構成は、他の実施態様または構成よりも好ましいまたは有利であると解釈される必要はない。むしろ、単語「例示的」の使用は、具体的方法で概念を提示することを意図している。従って、かかる修正の全てを、本開示の範囲内に含むことを意図している。他の置換、修正、変更、および省略を、添付の特許請求の範囲から逸脱することなく、好ましい他の例示的な実施形態の構成、作動条件、および配置構成に行うことができる。
【００３８】
代替的な実施態様によれば、任意の工程または方法のステップの順序または順列を変更または再配列することができる。いずれのミーンズ・プラス・ファンクションによる記載も、記載した機能を実行するとして本明細書に記載された構成と、構造的均等物のみならず、均等な構造をも対象とすることを意図している。他の置換、改変、変更および省略を、添付の特許請求の範囲から逸脱することなく、好ましい他の例示的な実施形態の構成、動作設定、配置に行うことができる。
【図１】
0006276416.tif 000002
【図２】
0006276416.tif 000003
【図２Ａ】
0006276416.tif 000004
【図３】
0006276416.tif 000005
【図３Ａ】
0006276416.tif 000006
【図４】
0006276416.tif 000007
【図５】
0006276416.tif 000008
【図６】
0006276416.tif 000009
【図７】
0006276416.tif 000010
【図８】
0006276416.tif 000011
【図９】
0006276416.tif 000012
【図９Ａ】
0006276416.tif 000013
【図１０】
0006276416.tif 000014
【図１１】
0006276416.tif 000015
【図１２】
0006276416.tif 000016
【図１３】
0006276416.tif 000017
【図１４】
0006276416.tif 000018
【図１５】
0006276416.tif 000019
【図１６】
0006276416.tif 000020
【図１６Ａ】
0006276416.tif 000021
【図１７】
0006276416.tif 000022
【図１８】
0006276416.tif 000023
【図１９】
0006276416.tif 000024
【図２０】
0006276416.tif 000025
【図２１】
0006276416.tif 000026
【図２２】
0006276416.tif 000027
【図２３】
0006276416.tif 000028
【図２４】
0006276416.tif 000029
【図２５】
0006276416.tif 000030
【図２６】
0006276416.tif 000031
【図２７】
0006276416.tif 000032